【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
オペレータが過去に行った操作に基づく操作履歴を用いてジョブ処理をジョブ処理装置で実行可能にしたジョブ処理システムであって、
前記ジョブ処理装置とは異なる他のジョブ処理装置におけるオペレータの操作履歴を収集する操作履歴収集手段によって収集される操作履歴であって、前記ジョブ処理装置によるジョブ処理に利用可能な操作履歴の選択候補を提示手段によって提示させる提示制御手段と、
前記選択候補のうちの何れかの操作履歴を選択するための操作履歴選択手段によって操作履歴がオペレータにより選択された場合に、前記選択された操作履歴を用いたジョブ処理を前記ジョブ処理装置により実行させる制御手段と、を有することを特徴とするジョブ処理システム。
【請求項２】
前記提示制御手段は、
前記操作履歴収集手段によって収集される、前記ジョブ処理装置とは異なる複数台のジョブ処理装置のそれぞれにおけるオペレータの操作履歴のうちの、前記ジョブ処理装置によるジョブ処理に利用可能な操作履歴の選択候補を、前記提示手段によって提示させることを特徴とする請求項１記載のジョブ処理システム。
【請求項３】
前記提示制御手段は、
前記操作履歴収集手段によって収集される操作履歴のうちの、前記ジョブ処理装置を操作するオペレータの認証処理を行う認証手段によって認証処理がなされたオペレータに対して提示を許可する操作履歴の選択候補を、前記提示手段によって提示させることを特徴とする請求項１又は２記載のジョブ処理システム。
【請求項４】
前記制御手段は、
前記認証処理がなされたオペレータに対して提示を許可する操作履歴の選択候補が前記提示手段によって提示される時点における前記ジョブ処理装置の状態に基づいて、前記操作履歴を用いたジョブ処理を制限することを特徴とする請求項３記載のジョブ処理システム。
【請求項５】
前記提示制御手段は、
前記認証処理がなされたオペレータ自身の操作履歴と他の操作履歴とを区別して前記提示手段に操作履歴を提示させることを特徴とする請求項３又は４記載のジョブ処理システム。
【請求項６】
前記提示制御手段は、
前記認証処理がなされたオペレータに対しては、少なくとも当該オペレータ自身の操作履歴を、前記提示手段により提示可能にし、
前記認証処理がなされないオペレータに対しては、そのオペレータにより前記ジョブ処理装置が操作される時点において前記ジョブ処理装置で利用可能な操作履歴を、前記提示手段により提示可能にすることを特徴とする請求項３乃至５の何れかに記載のジョブ処理システム。
【請求項７】
前記提示制御手段は、
前記認証処理がなされたオペレータに対して提示を許可する操作履歴の選択候補を前記提示手段により提示させる時点における前記ジョブ処理装置の状態に基づいて決定される利用不可の操作履歴と利用可能な操作履歴とを区別して前記提示手段により提示させることを特徴とする請求項３乃至６の何れかに記載のジョブ処理システム。
【請求項８】
前記提示制御手段は、
前記認証処理がなされたオペレータに対して提示を許可する操作履歴の選択候補を前記提示手段により提示させる時点における前記ジョブ処理装置の状態に基づいて決定される利用不可の操作履歴を、オペレータからの明示的な要求が受付手段により受付けられた場合に、前記提示手段によって提示させることを許可し、
前記受付手段により前記要求がなされない場合には、前記利用不可の操作履歴を前記提示手段により提示することなしに、前記ジョブ処理装置の状態に基づいて決定される利用可能な操作履歴を、前記提示手段により提示させることを特徴とする請求項３乃至７の何れかに記載のジョブ処理システム。
【請求項９】
前記提示制御手段は、
前記認証手段によるオペレータの認証処理が前記ジョブ処理装置にてなされた場合に、当該認証処理がなされたオペレータに対して提示を許可する操作履歴の選択候補を当該ジョブ処理装置の提示手段によって提示させ、
前記制御手段は、
前記選択候補のなかから何れかの操作履歴が前記ジョブ処理装置の操作履歴選択手段を介してオペレータにより選択された場合に、当該操作履歴を用いたジョブ処理を当該ジョブ処理装置により実行させることを特徴とする請求項３乃至８の何れかに記載のジョブ処理システム。
【請求項１０】
前記提示制御手段は、
前記認証手段によるオペレータの認証処理が前記ジョブ処理装置とデータ通信可能な情報処理装置にてなされた場合に、当該認証処理がなされたオペレータに対して提示を許可する操作履歴の選択候補を当該ジョブ処理装置の提示手段によって提示させ、
前記制御手段は、
前記選択候補のなかから何れかの操作履歴が前記情報処理装置の操作履歴選択手段を介してオペレータにより選択された場合に、当該操作履歴を利用するジョブ処理を当該ジョブ処理装置により実行させることを特徴とする請求項３乃至９の何れかに記載のジョブ処理システム。
【請求項１１】
前記操作履歴を利用するジョブ処理は、
前記ジョブ処理装置のスキャナ手段からの画像データの印刷処理を前記ジョブ処理装置により実行させるコピージョブ、
前記ジョブ処理装置のスキャナ手段からの画像データの印刷処理を前記ジョブ処理装置とは異なる他のジョブ処理装置により実行させるリモートコピージョブ、
ホストコンピュータからの画像データの印刷処理を前記ジョブ処理装置により実行させるプリントジョブ、
前記ジョブ処理装置が具備する記憶手段に画像データを保存するボックスジョブ、
前記ジョブ処理装置から外部装置へ画像データを送信する送信ジョブ、のうちの、
少なくとも何れかのジョブ処理であることを特徴とする請求項１乃至８の何れかに記載のジョブ処理システム。
【請求項１２】
オペレータが過去に行った操作に基づく操作履歴を用いてジョブ処理をジョブ処理装置で実行可能にしたジョブ処理システムのジョブ処理方法であって、
前記ジョブ処理装置とは異なる他のジョブ処理装置におけるオペレータの操作履歴を収集する操作履歴収集手段によって収集される操作履歴であって、前記ジョブ処理装置によるジョブ処理に利用可能な操作履歴の選択候補を提示手段によって提示可能にし、
前記ジョブ処理方法は、
前記選択候補のうちの何れかの操作履歴を選択するための操作履歴選択手段によって操作履歴がオペレータにより選択された場合に、前記選択された操作履歴を用いたジョブ処理を前記ジョブ処理装置により実行可能にすることを特徴とするジョブ処理方法。
【請求項１３】
前記ジョブ処理方法は、
前記操作履歴収集手段によって収集される、前記ジョブ処理装置とは異なる複数台のジョブ処理装置のそれぞれにおけるオペレータの操作履歴のうちの、前記ジョブ処理装置によるジョブ処理に利用可能な操作履歴の選択候補を、前記提示手段によって提示させることを特徴とする請求項１２記載のジョブ処理方法。
【請求項１４】
前記ジョブ処理方法は、
前記操作履歴収集手段によって収集される操作履歴のうちの、前記ジョブ処理装置を操作するオペレータの認証処理を行う認証手段によって認証処理がなされたオペレータに対して提示を許可する操作履歴の選択候補を、前記提示手段によって提示させることを特徴とする請求項１２又は１３記載のジョブ処理方法。
【請求項１５】
前記ジョブ処理方法は、
前記認証処理がなされたオペレータに対して提示を許可する操作履歴の選択候補が前記提示手段によって提示される時点における前記ジョブ処理装置の状態に基づいて、前記操作履歴を用いたジョブ処理を制限することを特徴とする請求項１４記載のジョブ処理方法。
【請求項１６】
前記ジョブ処理方法は、
前記認証処理がなされたオペレータ自身の操作履歴と他の操作履歴とを区別して前記提示手段に操作履歴を提示させることを特徴とする請求項１４又は１５記載のジョブ処理方法。
【請求項１７】
前記ジョブ処理方法は、
前記認証処理がなされたオペレータに対しては、少なくとも当該オペレータ自身の操作履歴を、前記提示手段により提示可能にし、
前記認証処理がなされないオペレータに対しては、そのオペレータにより前記ジョブ処理装置が操作される時点において前記ジョブ処理装置で利用可能な操作履歴を、前記提示手段により提示可能にすることを特徴とする請求項１４乃至１６の何れかに記載のジョブ処理方法。
【請求項１８】
前記ジョブ処理方法は、
前記認証処理がなされたオペレータに対して提示を許可する操作履歴の選択候補を前記提示手段により提示させる時点における前記ジョブ処理装置の状態に基づいて決定される利用不可の操作履歴と利用可能な操作履歴とを区別して前記提示手段により提示させることを特徴とする請求項１４乃至１７の何れかに記載のジョブ処理方法。
【請求項１９】
前記ジョブ処理方法は、
前記認証処理がなされたオペレータに対して提示を許可する操作履歴の選択候補を前記提示手段により提示させる時点における前記ジョブ処理装置の状態に基づいて決定される利用不可の操作履歴を、オペレータからの明示的な要求が受付手段により受付けられた場合に、前記提示手段によって提示させることを許可し、
前記受付手段により前記要求がなされない場合には、前記利用不可の操作履歴を前記提示手段により提示することなしに、前記ジョブ処理装置の状態に基づいて決定される利用可能な操作履歴を、前記提示手段により提示させることを特徴とする請求項１４乃至１８の何れかに記載のジョブ処理方法。
【請求項２０】
前記ジョブ処理方法は、
前記認証手段によるオペレータの認証処理が前記ジョブ処理装置にてなされた場合に、当該認証処理がなされたオペレータに対して提示を許可する操作履歴の選択候補を当該ジョブ処理装置の提示手段によって提示させ、
前記ジョブ処理方法は、
前記選択候補のなかから何れかの操作履歴が前記ジョブ処理装置の操作履歴選択手段を介してオペレータにより選択された場合に、当該操作履歴を用いたジョブ処理を当該ジョブ処理装置により実行させることを特徴とする請求項１４乃至１９の何れかに記載のジョブ処理方法。
【請求項２１】
前記ジョブ処理方法は、
前記認証手段によるオペレータの認証処理が前記ジョブ処理装置とデータ通信可能な情報処理装置にてなされた場合に、当該認証処理がなされたオペレータに対して提示を許可する操作履歴の選択候補を当該ジョブ処理装置の提示手段によって提示させ、
前記ジョブ処理方法は、
前記選択候補のなかから何れかの操作履歴が前記情報処理装置の操作履歴選択手段を介してオペレータにより選択された場合に、当該操作履歴を利用するジョブ処理を当該ジョブ処理装置により実行させることを特徴とする請求項１４乃至２０の何れかに記載のジョブ処理方法。
【請求項２２】
前記操作履歴を利用するジョブ処理は、
前記ジョブ処理装置のスキャナ手段からの画像データの印刷処理を前記ジョブ処理装置により実行させるコピージョブ、
前記ジョブ処理装置のスキャナ手段からの画像データの印刷処理を前記ジョブ処理装置とは異なる他のジョブ処理装置により実行させるリモートコピージョブ、
ホストコンピュータからの画像データの印刷処理を前記ジョブ処理装置により実行させるプリントジョブ、
前記ジョブ処理装置が具備する記憶手段に画像データを保存するボックスジョブ、
前記ジョブ処理装置から外部装置へ画像データを送信する送信ジョブ、のうちの、
少なくとも何れかのジョブ処理であることを特徴とする請求項１２乃至２１の何れかに記載のジョブ処理方法。
【請求項２３】
請求項１２乃至２２の何れかに記載のジョブ処理方法をコンピュータに実行させるためのプログラムを記録したコンピュータ読み取り可能な記憶媒体。
【請求項２４】
請求項１２乃至２２の何れかに記載のジョブ処理方法をコンピュータに実行させるためのプログラム。
【請求項２５】
請求項１２乃至２２の何れかに記載のジョブ処理方法を実行するためのジョブ処理装置。
【手続補正２】
【補正対象書類名】明細書
【補正対象項目名】発明の名称
【補正方法】変更
【補正の内容】
【発明の名称】ジョブ処理システム、ジョブ処理方法、記憶媒体、プログラム、ジョブ処理装置
【手続補正３】
【補正対象書類名】明細書
【補正対象項目名】０００１
【補正方法】変更
【補正の内容】
【０００１】
本発明は、オペレータが過去に行った操作に基づく操作履歴を用いてジョブ処理をジョブ処理装置で実行可能にしたジョブ処理システムの制御に関するものである。
【手続補正４】
【補正対象書類名】明細書
【補正対象項目名】００２４
【補正方法】変更
【補正の内容】
【００２４】
本発明は、上記の問題点を解決するためになされたもので、本発明の目的は、オペレータが過去に行った操作に基づく操作履歴を用いてジョブ処理を実行可能なジョブ処理装置により、他のジョブ処理装置の操作履歴を利用できるようにし、操作者は所望の操作履歴を容易に選択して再利用することができ、操作性及び生産性を向上させることができる仕組みを提供することである。
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】変更
【補正の内容】
【００２６】
本発明は、オペレータが過去に行った操作に基づく操作履歴を用いてジョブ処理をジョブ処理装置で実行可能にしたジョブ処理システムであって、前記ジョブ処理装置とは異なる他のジョブ処理装置におけるオペレータの操作履歴を収集する操作履歴収集手段によって収集される操作履歴であって、前記ジョブ処理装置によるジョブ処理に利用可能な操作履歴の選択候補を提示手段によって提示させる提示制御手段と、前記選択候補のうちの何れかの操作履歴を選択するための操作履歴選択手段によって操作履歴がオペレータにより選択された場合に、前記選択された操作履歴を用いたジョブ処理を前記ジョブ処理装置により実行させる制御手段と、を有することを特徴とする。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】変更
【補正の内容】
【００２８】
本発明によれば、オペレータが過去に行った操作に基づく操作履歴を用いてジョブ処理を実行可能なジョブ処理装置にて、他のジョブ処理装置の操作履歴を利用でき、操作者は所望の操作履歴を容易に選択して再利用することができ、操作性及び生産性を向上させることができる。
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】